(57)【要約】【課題】小さな寸法にもかかわらず、操作レバー等の強度を落とすことなく大きなストロークを確保できるシリアル型パンチを提供する。【解決手段】台座１０に２本のロッド刃１ａ、１ｂをシリアルに設け、台座１０に対して回動自在とした操作レバー３１と、操作レバー３１に連結された動作レバー３２とをロッド刃間を結ぶ線上に重合するように枢着し、２本のロッド刃１ａ、１ｂを、台座１０に設けたパンチ穴１０ａ、１０ｂに貫通させて台座１０に載置した紙葉に穿孔するようにしたシリアル型パンチにおいて、操作レバー３１と、動作レバー３２との間に連結レバー４０を介在させた構造とし、操作レバー３１の押圧操作によって紙葉に穿孔する際に、動作レバー３２と、連結レバー４０とが折り畳み動作をなす。【選択図】図１
2011255429.tif 000002
【特許請求の範囲】
【請求項１】
台座に２本のロッド刃をシリアルに設け、台座に対して回動自在とした操作レバーと、該操作レバーに連結された動作レバーとを台座に枢着し、上記２本のロッド刃を台座に設けたパンチ穴に貫通させて台座に載置した紙葉に穿孔するようにしたシリアル型パンチにおいて、
上記操作レバーと、上記動作レバーとを連結レバーで連結した構造とし、上記操作レバーの押圧操作によって、上記動作レバーと、連結レバーとが折り畳み動作をなして、紙葉に穿孔するようにしたことを特徴とするシリアル型パンチ。
【請求項２】
請求項１において、
上記動作レバーが支えバネで展開方向に弾性付勢されて、この弾性付勢力よって、上記２本のロッド刃の先端と、上記台座との間に紙葉挟み込み空隙を形成する構成となっており、
上記連結レバーは、上記支えバネの弾性支持力に抗して、上記操作レバーの押圧操作により上記動作レバーに負荷を与えるタイミングを、操作レバーの折り畳み回動の開始タイミングよりも遅らせるようにした差動機構を備えているシリアル型パンチ。
【請求項３】
請求項１または２において、
上記台座は、上記ロッド刃間を結ぶ線の延長方向に伸縮自在な伸縮部を備えているシリアル型パンチ。
【請求項４】
請求項３において、
上記台座の伸縮部は、伸張方向に弾性付勢してなるコイルばねを備え、上記操作レバーに掛止されることで収縮状態が保持されるようになっているシリアル型パンチ。
【請求項５】
請求項１〜４のいずれか１項において、
上記台座、操作レバー、動作レバー、連結レバーの各幅寸法が略同一となっているシリアル型パンチ。
【発明の詳細な説明】
【技術分野】
【０００１】
本発明は、２本のロッド刃間を結ぶ線上に重合するように操作レバーを配したシリアル型パンチの改良に関する。
【背景技術】
【０００２】
紙葉の穴あけ用具であるパンチには、２本のロッド刃をシリアルに設けた平面視薄型（幅狭）の台座と、棒状の操作レバーとを重合させ、その操作レバーの一方端を台座に枢着させた構造としたシリアル型パンチが提案されている（例えば、特許文献１参照）。
【０００３】
この種のシリアル型パンチによれば、パンチ本体を小型化でき、携帯用パンチとして使用することができる。
【０００４】
また、同文献のものでは、操作レバーの回動で一方のロッド刃を上下動させ、かつ、この操作レバーの中間部に連結され、台座上の操作レバーの枢着位置とは別の位置に枢着された動作レバーの回動で他方のロッド刃を上下動させる構造となっている。つまり、それぞれのロッド刃は、操作レバー、動作レバーのいずれかの動作に連動して動作するようになっている。
【０００５】
このように、操作レバーと動作レバーの個別の回動動作によって２本のロッド刃が個別に動作できる構造であるため、各ロッド刃の動作をずらすことで穿孔タイミングをずらすことができ、それによって穿孔の際に生じる紙面による抗力を分散させることを可能としている。よって、小型化による穿孔力の低下を防止できる。
【０００６】
なお、同文献のパンチは、操作レバーの押圧操作で同時に動作レバーを回動させるために操作レバーにスライド開口を設けて、そこに動作レバーの端部をスライド自在に連結した構造となっている。
【先行技術文献】
【特許文献】
【０００７】
【特許文献１】特開平０８−１５５８９８号公報
【発明の概要】
【発明が解決しようとする課題】
【０００８】
ところで、同文献のパンチは、操作レバーと動作レバーとが直接連結されているため、操作レバーの大きなストロークを確保しようとすればスライド開口を長く形成しなければならない。しかし、そのようにスライド開口を長く形成すれば操作レバーの強度が低下してしまうおそれがある。
【０００９】
しかも、操作レバーの押圧操作で同時に動作レバーも動作する構造であるため、両ロッド刃を動作させるための操作負担が同時にかかることとなり、操作が重くなるおそれがある。特に、各ロッド刃は、操作レバーの展開時においては、台座との間に紙葉挟み込み空隙を確保するための支えバネで弾性支持されているため、操作開始時に、両ロッド刃のそれぞれの支えバネの弾性復元力に抗する押圧力が必要とされるから、操作に大きな力が必要となる。
【００１０】
また、操作レバーと動作レバーとは個別回動の構造ではあるものの、同時に動作する構造であるから、ロッド刃を差動させるか、上下動速度を異ならせるか、ロッド刃の長さ寸法等を異ならせるなどしなければ、確実に穿孔タイミングをずらすことはできない。つまり、この文献に記載されたパンチには、設計、製造において微妙な調整が必要とされる。
【００１１】
本発明は、このような種々の問題を考慮して提案されたもので、その目的は、小さな寸法にもかかわらず、操作レバー等の強度を落とすことなく大きなストロークを確保できるシリアル型パンチを提供することにある。また、操作レバーと動作レバーの動作開始タイミングをずらすことで確実に両ロッド刃の穿孔タイミングをずらすこと、および、操作開始時の操作負担を軽減させることも目的としている。
【課題を解決するための手段】
【００１２】
上記目的を達成するために、請求項１に記載のシリアル型パンチは、台座に２本のロッド刃をシリアルに設け、台座に対して回動自在とした操作レバーと、該操作レバーに連結された動作レバーとを台座に枢着し、２本のロッド刃を、台座に設けたパンチ穴に貫通させて台座に載置した紙葉に穿孔するようにしたシリアル型パンチにおいて、操作レバーと、動作レバーとを連結レバーで連結した構造とし、操作レバーの押圧操作によって、動作レバーと、連結レバーとが折り畳み動作をなして、紙葉に穿孔するようにしたことを特徴とする。
【００１３】
請求項２に記載のシリアル型パンチは、動作レバーが支えバネで展開方向に弾性支持されて、この弾性支持力よって、２本のロッド刃の先端と、台座との間に紙葉挟み込み空隙を形成する構成となっており、連結レバーは、支えバネの弾性支持力に抗して、操作レバーの押圧操作により動作レバーに負荷を与えるタイミングを、操作レバーの折り畳み回動の開始タイミングよりも遅らせるようにした時差連動機構を備えている。
【００１４】
請求項３に記載のシリアル型パンチでは、台座がロッド刃間を結ぶ線の延長方向に伸縮自在な伸縮部を備えている。
【００１５】
請求項４に記載のシリアル型パンチでは、台座の伸縮部が、伸張方向に弾性付勢してなるコイルばねを備え、操作レバーに掛止されることで収縮状態が保持されるようになっている。
【００１６】
請求項５に記載のシリアル型パンチでは、台座、操作レバー、動作レバー、連結レバーの各幅寸法が略同一となっている。
【発明の効果】
【００１７】
請求項１に記載のシリアル型パンチによれば、操作レバーと、動作レバーとの間に連結レバーを介在させた構造となっているので、小さな寸法にもかかわらず、操作レバーを大きな展開角度で操作できる。よって、第１、第２のロッド刃の降下量を大きくでき、より大量枚数の紙葉に穿孔することができる。
【００１８】
請求項２に記載のシリアル型パンチでは、連結レバーが、動作レバーに負荷を与えるタイミングをずらすようにした差動機構を備えている。すなわち、動作レバーが操作レバーの起動よりも遅れて動作開始する構造であるため、２本のロッド刃の穿孔タイミングを確実にずらすことができる。
【００１９】
請求項３に記載のシリアル型パンチによれば、台座がロッド刃間を結ぶ線の延長方向に伸縮自在な伸縮部を備えているので、不使用時には縮めておけばよく、そのため机上でじゃまにならない。
【００２０】
請求項４に記載のシリアル型パンチによれば、伸縮部はコイルばねを備え、操作レバーに掛止されることで収縮状態が保持されるようになっているので、不使用時にはよりコンパクトにしておくことができる。掛止を解けばコイルばねが復帰するので、すぐに利用できる。
【００２１】
請求項５に記載のシリアル型パンチによれば、台座、操作レバー、動作レバー、連結レバーの各幅寸法が略同一でスリムな形状となっているので、筆入れや鉛筆立てに入れることができ、持ち運びにも便利である。
【図面の簡単な説明】
【００２２】
【図１】本発明のシリアル型パンチの第１実施形態（展開状態）を示す図で、（ａ）は部分断面正面図、（ｂ）は概略側面図である。
【図２】（ａ）、（ｂ）は、同シリアル型パンチの駆動を段階的に示した部分断面正面図、概略側面図である。
【図３】（ａ）、（ｂ）は、同シリアル型パンチの駆動を段階的に示した部分断面正面図、概略側面図である。
【図４】（ａ）、（ｂ）は、同シリアル型パンチの駆動を段階的に示した部分断面正面図、概略側面図である。
【図５】（ａ）、（ｂ）、（ｃ）は、同シリアル型パンチの完全に折り畳んだ状態を示す平面図、部分断面正面図、概略側面図である。
【図６】（ａ）は第１のロッド刃の概略正面図、（ｂ）は第１のロッド刃を格納する第１のハウジングの概略斜視図である。
【図７】本発明のシリアル型パンチの第２実施形態の一使用例を示す部分断面正面図である。
【図８】同シリアル型パンチの他使用例を示す部分断面正面図である。
【発明を実施するための形態】
【００２３】
以下に、本発明の実施の形態について、添付図面を参照しながら説明する。
【００２４】
図１は本発明のシリアル型パンチの第１実施形態を示す図で、図１（ａ）はシリアル型パンチの部分断面正面図、図１（ｂ）は同概略側面図である。また図２〜図４は、同シリアル型パンチの駆動を段階的に示した説明図で、各図（ａ）、（ｂ）は部分断面正面図、概略側面図である。図５（ａ）、（ｂ）、（ｃ）は、同シリアル型パンチの完全に折り畳んだ状態を示す平面図、部分断面正面図、概略側面図である。図６は第１のロッド刃の動作を説明するための概念図であり、図６（ａ）は第１のロッド刃の概略正面図、図６（ｂ）は第１のロッド刃を格納する第１のハウジングの概略斜視図である。
【００２５】
このシリアル型パンチは、台座に２本のロッド刃がシリアルに設けられ、その台座１０に対して回動自在に枢着された操作レバー３１と、操作レバー３１に連結され、台座１０に対して回動自在に枢着された動作レバー３２とをロッド刃間を結ぶ線上に重合させた構造となっており、２本の第１、第２のロッド刃１ａ、１ｂを、台座１０に設けた２つの第１、第２のパンチ穴１０ａ、１０ｂに貫通させて、台座１０に載置した紙葉に穿孔できるようにしたものである。
【００２６】
台座１０は、第１、第２のロッド刃１ａ、１ｂのそれぞれに対応した第１、第２のパンチ穴１０ａ、１０ｂを有した中空体よりなる本体部１１と、第１、第２のパンチ穴１０ａ、１０ｂ間を結ぶ線の延長方向に伸縮自在に取り付けた伸縮部１２とを備えている。
【００２７】
本体部１１の上方には、紙葉挟み込み空隙Ｓを介して、第１、第２のロッド刃１ａ、１ｂのそれぞれを格納した第１、第２のハウジング２１、２２が固定、支持されている。
【００２８】
この紙葉挟み込み空隙Ｓにおける第１、第２のロッド刃１ａ、１ｂの各近傍には、紙葉ガイド片１１ｄが取り付けられている。この紙葉ガイド片１１ｄは紙葉挟み込み空隙Ｓに紙葉を差し入れるときに、紙葉がパンチ穴の直上に配されるように誘導できるとともに、浮き上がらないように上方より弾性的に押さえるようになっている。また、図１（ｂ）等の概略側面図に示しているように、この紙葉ガイド片１１ｄはロッド刃よりも紙葉挿入開口に近い箇所に取り付けられているので、紙葉挿入時の手指の安全も確保できる。
【００２９】
また、本体部１１の中空部１１ａはパンチ屑を溜める空間であり、裏面側には取り外し自在な裏蓋１１ｂが取り付けてある。この裏蓋１１ｂの外面には磁石１１ｃが貼り付けてあり、ステンレス製のデスク等に貼り付けておくことで紙挟み（クリップ）代わりに利用できるし、またシリアル型パンチの紛失も防止でき、利便性も向上する。さらに本体部１１の上面には、第１、第２のロッド刃１ａ、１ｂ間の中間位置を示す中央目印１１ｅが付けてあり（図５参照）、穿孔位置を容易に判断できるようになっている。
【００３０】
伸縮部１２にはコイルばね１２ａが内蔵してあり、パンチを使用する際にはコイルばね１２ａが復帰した状態となっている（図１参照）一方、使用しないときはコイルばね１２ａを収縮させ、伸縮部１２の伸張方向に弾性付勢させた状態となっている（図５参照）。また、パンチとして使用しないときに伸縮部１２が伸張復帰しないように、操作レバー３１の先端に設けたフック３１ｂで伸縮部１２の端部に設けた掛止口１２ｂを掛止できるようになっている。なお、伸縮部１２の適所にＡ４、Ｂ５等の用紙の定形サイズの目印、または定形サイズで掛止できるような調節具を付加してもよい。
【００３１】
また、本シリアル型パンチには、台座１０に枢着された２つの回動レバーが設けられており、一方の操作レバー３１は台座１０の端部（図１（ａ）において右側）に枢着され、他方の動作レバー３２は台座１０の中間部（同左側）に枢着されている。
【００３２】
より具体的には、第１のロッド刃１ａを上下動自在に格納した第１のハウジング２１に操作レバー３１の基端部が枢着され、第２のロッド刃１ｂを上下動自在に格納した第２のハウジング２２に動作レバー３２の基端部が枢着されている。
【００３３】
以下、これらの回動レバーと、これらのそれぞれに連動して動作する第１、第２のロッド刃１ａ、１ｂの動作について説明する。
【００３４】
第１のロッド刃１ａにはロッドピン２ａが貫通しており、そのロッドピン２ａの両端部を操作レバー３１の両側部にて保持し、操作レバー３１がレバーピン３１ａを軸として回動する際に、この回動に応じて第１のロッド刃１ａが上下動し、穿孔用の第１のパンチ穴１０ａを貫通するようになっている。第１のロッド刃１ａを上下動させるために、第１のハウジング２１の両側部にはロッドピン移動用の長孔２１ａが設けられている。
【００３５】
この操作レバー３１の回動動作によって、第１のロッド刃１ａのロッドピン２ａは、レバーピン３１ａを支点として回動するが、第１のロッド刃１ａが、この第１のロッドピン２ａの回動動作にかかわらず、第１のパンチ穴１０ａに対して垂直に降下できるように、ハウジングにはパンチ穴の鉛直動作をさせるための上下２つのガイド穴２１ａ、２１ａが形成され、かつ、第１のロッドピン２ａは第１のロッド刃１ａのピン孔１ａａに遊挿されている（図６参照）。
【００３６】
このように第１のロッド刃１ａを設置することで、第１のロッド刃１ａと第１のパンチ穴１０ａとによる適正な穿孔が行なえる。なお、第１のロッド刃１ａに確実な鉛直降下動作をさせるために、第１のロッドピン２ａを操作レバー３１に保持させないようにしてもよい。つまり、例えば操作レバー３１の側面の下端が第１のロッドピン２ａに対して摺動しながら降下する構成としてもよい。もちろん、その場合でも第１のハウジング２１に第１のパンチ穴１０ａに対する鉛直方向の動作をガイドするガイド穴を設ける必要があることはいうまでもない。
【００３７】
第２のロッド刃１ｂの動作構造についてもほぼ同様である。つまり、第２のロッド刃１ｂにはロッドピン２ｂが貫通しており、そのロッドピン２ｂの両端部を動作レバー３２の両側部にて保持し、動作レバー３２がレバーピン３２ａを軸として回動する際に、この回動に応じて、第２のハウジング２２の両側部に設けた長孔２２ａに沿って第２のロッド刃１ｂが上下動し、第２のパンチ穴１０ｂを貫通するようになっている。なお、ロッドピン２ｂの第２のロッド刃１ｂに対する遊挿関係、および第２のハウジング２２のガイド穴についても、第１のロッド刃１ａのものと同様である。
【００３８】
また、第２のロッド刃１ｂのロッドピン２ｂと動作レバー３２のレバーピン３２ａとの距離、つまり第２のロッド刃１ｂのロッドピン２ｂの回動半径は、第１のロッド刃１ａのロッドピン２ａと操作レバー３１のレバーピン３１ａとの距離よりも短い。すなわち、操作レバー３１を操作して同時に第１、第２のロッド刃１ａ、１ｂを降下させる場合、第１のロッド刃１ａのほうが速い速度で降下する。
【００３９】
さらに、本実施形態では、第２のハウジング２２内に、動作レバー３２の回動に応じて動作できるように、レバーピン３２ａにねじりバネが取り付けてある。このねじりバネは第２のロッド刃１ｂを原位置（展開方向）へ復帰させるための支えバネ３であり、これによって２本のロッド刃の先端（下端）と、台座１０との間に紙葉挟み込み空隙Ｓを開けた状態で動作レバー３２と、それに連結された操作レバー３１とが原位置に保持される。
【００４０】
なお、操作レバー３１側にも同様の支えバネを設けてもよいが、操作レバー３１と動作レバー３２は連結レバー４０で連結されているので、一方のみに支えバネ３を取り付ければ紙葉挟み込み空隙Ｓは確保できる。
【００４１】
また、本実施形態では支えバネ３をレバーピン３２ａに取り付けているが、第２のロッド刃１ｂの動作を制約するためのものであるから、第２のロッド刃１ｂあるいはロッドピン２ｂに取り付けて動作するようなものでもよい。なお、支えバネ３にはコイルばねや板バネを用いてもよい。
【００４２】
本シリアル型パンチは、操作レバー３１、動作レバー３２の他に第３のレバーとして連結レバー４０を備えている。
【００４３】
この連結レバー４０の両側部４０ａの一端側にはスライド開口４１が設けてあり、そのスライド開口４１に、動作レバー３２の端部に貫通固定したスライドピン３２ｂが連結レバー４０の長手方向に沿ってスライド自在となるように連結されている。また、連結レバー４０は、他端が操作レバー３１の中間部に連結ピン４２で連結されて、回動できるようになっている。
【００４４】
このシリアル型パンチは、操作レバー３１と、動作レバー３２との間に連結レバー４０を介在させた構造となっているので、操作レバー３１を押圧操作して紙葉に穿孔する際には、操作レバー３１と、動作レバー３２と、連結レバー４０とが折り畳み動作をなす。
【００４５】
このように、操作レバー３１と、動作レバー３２との間に連結レバー４０を介在させているので、図１に示すように、操作レバー３１を大きな展開角度で操作することができる。連結レバー４０の寸法を長くすれば、操作レバー３１を垂直に立てた状態から操作することもできる。
【００４６】
以下に、これら３つのレバーの動作による２本のロッド刃の動作について説明する。図１〜図４は、レバーが原位置にある状態（展開状態）から折り畳み状態までの状態遷移を示した図であり、これらの図にもとづいて説明する。
【００４７】
図１に示した状態は、支えバネ３が作用して動作レバー３２が原位置にあり、一方、操作レバー３１は、連結レバー４０のスライド開口４１によって展開できる最も開いた状態にある。なお本実施形態では、操作レバー３１側には支えバネを設けていないため、操作レバー３１を手指で持って引き上げることでこの状態を保持できる。
【００４８】
この状態では、第１、第２のロッド刃１ａ、１ｂの先端は第１、第２のパンチ穴１０ａ、１０ｂの上面よりも紙葉挟み込み空隙Ｓを隔てた位置にある。
【００４９】
この状態で操作レバー３１を押圧操作すると、操作レバー３１の回動にともなって、スライド開口４１の形成方向に沿って連結レバー４０は移動するが、動作レバー３２が連結レバー４０に対してスライド自在に連結され、しかも支えバネ３で弾性支持されているため、動作レバー３２は回動することなく展開状態を保持する。
【００５０】
したがって、この操作によって、２本のロッド刃のうち操作レバー３１に連動する第１のロッド刃１ａのみが降下し始める。
【００５１】
その後、第１のロッド刃１ａのみが下方に移動し続け、連結レバー４０のスライド開口４１の操作レバー３１側の端部が動作レバー３２のスライドピン３２ｂに当たりスライド不能となったときに動作レバー３２の回動が始まり、第２のロッド刃１ｂの降下が始まる（図２参照）。
【００５２】
そしてさらに操作レバー３１を押圧操作すると、第１、第２のロッド刃１ａ、２ｂは、第２のロッド刃１ｂが降下遅れの状態を保持しながら、ともに降下してゆき、時差を生じながら第１、第２のパンチ穴１０ａ、１０ｂに到達して、紙葉に穿孔する。なお、上記のようにロッドピンまでの回動半径は第１のロッド刃１ａのほうが大きいため、第２のロッド刃１ｂが降下遅れはさらに大きくなり、穿孔タイミングも大きくずれる。
【００５３】
このように穿孔タイミングがずれる構成であるため、穿孔の際に生じる紙面による抗力を分散させることができる。よって、小さな力で穿孔できる。
【００５４】
特に本シリアル型パンチには、連結レバー４０のスライド開口４１によって、動作レバー３２が動作するタイミングを遅らすようにした差動機構が形成されているので、操作レバー３１のみを回動させることができ、穿孔タイミングを十分にずらすことができる。また、本実施形態では、操作レバー３１は弾性支持されていないため、操作開始から動作レバー３２を動作させるまではバネによる負荷がかからず、小さな力で操作できる。
【００５５】
また、図５（ａ）の平面図に示すように、シリアル型パンチを構成する台座１０、操作レバー３１、動作レバー３２、連結レバー４０は幅寸法がほぼ同じであるため、筆入れに入れてもじゃまにならないし、鉛筆立てにも入れることができる。さらに、定規機能を付加したり、消しゴム、ボールペンを付加して多機能パンチとしてもよい。
【００５６】
ついで、本発明のシリアル型パンチの第２実施形態について説明する。図７は同シリアル型パンチの一使用例を示す部分断面正面図であり、図８は同シリアル型パンチの他使用例を示す部分断面正面図である。なお、本実施形態のシリアル型パンチは第１実施形態のものと同一の構成部位よりなるので、第１実施形態のものと同一の符号を付して、それらの説明は省略する。
【００５７】
本実施形態のシリアル型パンチは、少量の紙葉に穿孔する場合と、大量の紙葉に穿孔する場合の２つの使用方法で使用できるものである。
【００５８】
図７には、操作レバー３１と、それに連結された第１のロッド刃１ａと、動作レバー３２と、それに連結された第２のロッド刃１ｂとが、動作レバー３２のレバーピン３２ａに取り付けられた支えバネ３によってシリアル型パンチが原位置に保持された状態を示している。
【００５９】
この状態では、操作レバー３１と連結レバー４０とが動作レバー３２に対して折り畳まれて、操作レバー３１と動作レバー３２とはともに台座１０に対し鋭角的な位置にあり、かつ、第１、第２のロッド刃１ａ、１ｂの各先端は紙葉挟み込み空隙Ｓの中ほどに位置し、少数枚の紙葉が差し入れできるようになっている。つまり、少数枚の紙葉に穿孔する場合には、この原位置で操作レバー３１を押圧操作すればよい。
【００６０】
一方、図８では、ロッドピン２ｂの上限位置に対応して動作レバー３２が最も開いた状態にあり、また操作レバー３１が連結レバー４０のスライド開口４１によって展開できる最も開いた状態にある。この状態では、第１、第２のロッド刃１ａ、１ｂの各先端が図７の状態よりも高い位置にある。
【００６１】
したがって、この状態では、図７にくらべて操作レバー３１、動作レバー３２の展開角度が大きいので、紙葉挟み込み空隙Ｓに差し入れた大量の紙葉に穿孔することができる。
【００６２】
上記の第１、第２実施形態に説明したシリアル型パンチは、連結レバー４０のスライド開口４１による差動機構を備えているが、そのような差動機構を有しないものでもよい。すなわち、動作レバー３２と連結レバー４０とがピン一点で回動連結され、操作レバー３１の操作で動作レバー３２が時間遅れなく折り畳みできる構造としてもよい。なお、その場合でも、ロッド刃の寸法、ロッド刃のレバーピンからの距離等を調節することで、穿孔タイミングをずらすことは可能である。
【００６３】
また、差動機構を備えないものでも、操作レバー３１と動作レバ３２ーとの間に連結レバー４０が介在しているので、パンチする際には操作レバー３１を大きく展開でき、第１、第２実施形態のものと同様、大きなストロークを確保することができる。
【００６４】
以上の実施形態ではロッドピン１ｂ、２ｂを用いてロッド刃を降下させる構造を示したが、ロッドピンを用いずに、操作レバー３１、動作レバー３２がそれぞれ第１、第２のロッド刃１ａ、２ａの頭部等を押し下げる構造としてもよい。
【符号の説明】
【００６５】
１０      台座
１０ａ      第１のパンチ穴
１０ｂ      第２のパンチ穴
１１      本体部
１１ａ      中空部
１１ｂ      裏蓋
１１ｃ      磁石
１１ｄ      紙葉ガイド片
１１ｅ      中央目印
１２      伸縮部
１２ａ      コイルバネ
１２ｂ      掛止口
１ａ      第１のロッド刃
２ａ      ロッドピン
２１      第１のハウジング
２１ａ      長孔
２１ｂ      ガイド穴
３１      操作レバー
３１ａ      レバーピン
３１ｂ      フック
１ｂ      第２のロッド刃
２ｂ      ロッドピン
２２      第２のハウジング
２２ａ      長孔
３２      動作レバー
３２ａ      レバーピン
３２ｂ      スライドピン
４０      連結レバー
４１      スライド開口
４２      連結ピン
３      支えバネ
Ｓ      紙葉挟み込み空隙
【図１】
2011255429.tif 000003
【図２】
2011255429.tif 000004
【図３】
2011255429.tif 000005
【図４】
2011255429.tif 000006
【図５】
2011255429.tif 000007
【図６】
2011255429.tif 000008
【図７】
2011255429.tif 000009
【図８】
2011255429.tif 000010
【手続補正書】
【提出日】平成22年12月13日(2010.12.13)
【手続補正１】
【補正対象書類名】明細書
【補正対象項目名】全文
【補正方法】変更
【補正の内容】
【発明の詳細な説明】
【技術分野】
【０００１】
本発明は、２本のロッド刃間を結ぶ線上に重合するように操作レバーを配したパンチの改良に関する。
【背景技術】
【０００２】
紙葉の穴あけ用具であるパンチには、２本のロッド刃をシリアルに設けた平面視薄型（幅狭）の台座と、棒状の操作レバーとを重合させ、その操作レバーの一方端を台座に枢着させた構造としたシリアル型パンチが提案されている（例えば、特許文献１参照）。
【０００３】
この種のシリアル型パンチによれば、パンチ本体を小型化でき、携帯用パンチとして使用することができる。
【０００４】
また、同文献のものでは、操作レバーの回動で一方のロッド刃を上下動させ、かつ、この操作レバーの中間部に連結され、台座上の操作レバーの枢着位置とは別の位置に枢着された動作レバーの回動で他方のロッド刃を上下動させる構造となっている。つまり、それぞれのロッド刃は、操作レバー、動作レバーのいずれかの動作に連動して動作するようになっている。
【０００５】
このように、操作レバーと動作レバーの個別の回動動作によって２本のロッド刃が個別に動作できる構造であるため、各ロッド刃の動作をずらすことで穿孔タイミングをずらすことができ、それによって穿孔の際に生じる紙面による抗力を分散させることを可能としている。よって、小型化による穿孔力の低下を防止できる。
【０００６】
なお、同文献のパンチは、操作レバーの押圧操作で同時に動作レバーを回動させるために操作レバーにスライド開口を設けて、そこに動作レバーの端部をスライド自在に連結した構造となっている。
【先行技術文献】
【特許文献】
【０００７】
【特許文献１】特開平０８−１５５８９８号公報
【発明の概要】
【発明が解決しようとする課題】
【０００８】
ところで、同文献のパンチは、操作レバーと動作レバーとが直接連結されているため、操作レバーの大きなストロークを確保しようとすればスライド開口を長く形成しなければならない。しかし、そのようにスライド開口を長く形成すれば操作レバーの強度が低下してしまうおそれがある。
【０００９】
しかも、操作レバーの押圧操作で同時に動作レバーも動作する構造であるため、両ロッド刃を動作させるための操作負担が同時にかかることとなり、操作が重くなるおそれがある。特に、各ロッド刃は、操作レバーの展開時においては、台座との間に紙葉挟み込み空隙を確保するための支えバネで弾性支持されているため、操作開始時に、両ロッド刃のそれぞれの支えバネの弾性復元力に抗する押圧力が必要とされるから、操作に大きな力が必要となる。
【００１０】
また、操作レバーと動作レバーとは個別回動の構造ではあるものの、同時に動作する構造であるから、ロッド刃を差動させるか、上下動速度を異ならせるか、ロッド刃の長さ寸法等を異ならせるなどしなければ、確実に穿孔タイミングをずらすことはできない。つまり、この文献に記載されたパンチには、設計、製造において微妙な調整が必要とされる。
【００１１】
本発明は、このような種々の問題を考慮して提案されたもので、その目的は、小さな寸法にもかかわらず、操作レバー等の強度を落とすことなく大きなストロークを確保できるシリアル型パンチを提供することにある。また、操作レバーと動作レバーの動作開始タイミングをずらすことで確実に両ロッド刃の穿孔タイミングをずらすこと、および、操作開始時の操作負担を軽減させることをさらなる目的としている。
【課題を解決するための手段】
【００１２】
上記目的を達成するために、請求項１に記載のパンチは、操作レバーと、動作レバーとを所定間隔を保持して、台座に回動自在に枢着し、操作レバー、動作レバー側には、その前後方向に沿って、２本のロッド刃を設ける一方、台座側には、２本のロッド刃のそれぞれに対応したパンチ穴を台座の前後方向に沿って形成し、台座側に紙葉を載置した状態で操作レバーを回動操作して紙葉に穿孔するようにしたパンチであって、操作レバーと動作レバーとは、連結レバーによって連結されるとともに、動作レバーは、支えバネの弾性力によって、操作レバー、動作レバーの２本のロッド刃の先端と、台座との間に紙葉挟み込み空隙を形成して原位置に保持する構造になっており、操作レバーと動作レバーとは、操作レバーが動作レバーの上方に位置するようにして折り畳まれる構造にしていることを特徴とする。
【００１３】
請求項２に記載のパンチは、連結レバーには、スライド開口が形成されており、このスライド開口に、動作レバーに設けたレバーピンを係止させることで、操作レバーを回動操作したときに、動作レバー側のロッド刃による穿孔が、操作レバー側のロッド刃による穿孔よりも遅れをなす差動機構を構成している。
【００１４】
請求項３に記載のパンチでは、２本のロッド刃は、それぞれにピン孔が形成されて、ピン孔にロッドピンを貫通させて、操作レバー、動作レバーのそれぞれに結合支持されるとともに、台座側には、操作レバー、動作レバーが回動操作される際に、２本のそれぞれのロッド刃の上下の鉛直動作を規制するガイド穴と、上下方向に走る長孔を形成した第１、第２のハウジングを設けている。
【００１５】
請求項４に記載のパンチでは、台座は、その後端側に伸縮自在な伸縮部を備えており、伸縮部は、伸張方向に弾性付勢してなるコイルばねを備え、操作レバーに掛止されることで収縮状態が保持されるようになっている。
【００１６】
請求項５に記載のパンチは、台座、操作レバー、動作レバー、連結レバーの各幅寸法が略同一に形成されている。
【発明の効果】
【００１７】
請求項１に記載のパンチによれば、操作レバーと、動作レバーとの間に連結レバーを介在させた構造となっているので、小さな寸法にもかかわらず、操作レバーを大きな展開角度で操作できる。よって、第１、第２のロッド刃の降下量を大きくでき、より大量枚数の紙葉に穿孔することができる。
【００１８】
請求項２に記載のパンチでは、連結レバーが、動作レバーに負荷を与えるタイミングをずらすようにした差動機構を備えている。すなわち、動作レバーが操作レバーの起動よりも遅れて動作開始する構造であるため、２本のロッド刃の穿孔タイミングを確実にずらすことができる。
【００１９】
請求項３に記載のパンチによれば、２本のロッド刃は、それぞれにピン孔が形成されて、ピン孔にロッドピンを遊挿させて、操作レバー、動作レバーのそれぞれに結合支持されるとともに、台座側には、操作レバー、動作レバーが回動操作される際に、２本のそれぞれのロッド刃の上下の鉛直動作を規制するガイド穴と、上下方向に走る長孔とを形成した第１、第２のハウジングを設けているので、２本のロッド刃に鉛直動作をさせることができる。
【００２０】
請求項４に記載のパンチによれば、台座がロッド刃間を結ぶ線の延長方向に伸縮自在な伸縮部を備えているので、不使用時には縮めておけばよく、そのため机上でじゃまにならない。また、伸縮部はコイルばねを備え、操作レバーに掛止されることで収縮状態が保持されるようになっているので、不使用時にはよりコンパクトにしておくことができる。掛止を解けばコイルばねが復帰するので、すぐに利用できる。
【００２１】
請求項５に記載のパンチによれば、台座、操作レバー、動作レバー、連結レバーの各幅寸法が略同一でスリムな形状となっているので、筆入れや鉛筆立てに入れることができ、持ち運びにも便利である。
【図面の簡単な説明】
【００２２】
【図１】本発明のパンチ（以下、シリアル型パンチという）の第１実施形態（展開状態）を示す図で、（ａ）は部分断面正面図、（ｂ）は概略側面図である。
【図２】（ａ）、（ｂ）は、同シリアル型パンチの駆動を段階的に示した部分断面正面図、概略側面図である。
【図３】（ａ）、（ｂ）は、同シリアル型パンチの駆動を段階的に示した部分断面正面図、概略側面図である。
【図４】（ａ）、（ｂ）は、同シリアル型パンチの駆動を段階的に示した部分断面正面図、概略側面図である。
【図５】（ａ）、（ｂ）、（ｃ）は、同シリアル型パンチの完全に折り畳んだ状態を示す平面図、部分断面正面図、概略側面図である。
【図６】（ａ）は第１のロッド刃の概略正面図、（ｂ）は第１のロッド刃を格納する第１のハウジングの概略斜視図である。
【図７】本発明のシリアル型パンチの第２実施形態の一使用例を示す部分断面正面図である。
【図８】同シリアル型パンチの他使用例を示す部分断面正面図である。
【発明を実施するための形態】
【００２３】
以下に、本発明の実施の形態について、添付図面を参照しながら説明する。
【００２４】
図１は本発明のシリアル型パンチの第１実施形態を示す図で、図１（ａ）はシリアル型パンチの部分断面正面図、図１（ｂ）は同概略側面図である。また図２〜図４は、同シリアル型パンチの駆動を段階的に示した説明図で、各図（ａ）、（ｂ）は部分断面正面図、概略側面図である。図５（ａ）、（ｂ）、（ｃ）は、同シリアル型パンチの完全に折り畳んだ状態を示す平面図、部分断面正面図、概略側面図である。図６は第１のロッド刃の動作を説明するための概念図であり、図６（ａ）は第１のロッド刃の概略正面図、図６（ｂ）は第１のロッド刃を格納する第１のハウジングの概略斜視図である。
【００２５】
このシリアル型パンチは、２本のロッド刃がシリアルに設けられ、台座１０に対して回動自在に枢着された操作レバー３１と、操作レバー３１に連結され、台座１０に対して回動自在に枢着された動作レバー３２とをロッド刃間を結ぶ線上に重合させる構造となっており、２本の第１、第２のロッド刃１ａ、１ｂを、台座１０に設けた２つの第１、第２のパンチ穴１０ａ、１０ｂに貫通させて、台座１０に載置した紙葉に穿孔できるようにしたものである。
【００２６】
台座１０は、第１、第２のロッド刃１ａ、１ｂのそれぞれに対応した第１、第２のパンチ穴１０ａ、１０ｂを有した中空体よりなる本体部１１と、第１、第２のパンチ穴１０ａ、１０ｂ間を結ぶ線の延長方向に伸縮自在に取り付けた伸縮部１２とを備えている。
【００２７】
本体部１１の上方には、紙葉挟み込み空隙Ｓが形成され、第１、第２のロッド刃１ａ、１ｂのそれぞれを格納した第１、第２のハウジング２１、２２が設けられている。
【００２８】
この紙葉挟み込み空隙Ｓにおける第１、第２のロッド刃１ａ、１ｂの各近傍には、紙葉ガイド片１１ｄが取り付けられている。この紙葉ガイド片１１ｄは紙葉挟み込み空隙Ｓに紙葉を差し入れるときに、紙葉がパンチ穴の直上に配されるように誘導できるとともに、差し入れた紙葉が浮き上がらないように上方より弾性的に押さえるようになっている。また、図１（ｂ）等の概略側面図に示しているように、この紙葉ガイド片１１ｄはロッド刃よりも紙葉挿入開口に近い箇所に取り付けられているので、紙葉挿入時の手指の安全も確保できる。
【００２９】
また、本体部１１の中空部１１ａはパンチ屑を溜める空間であり、裏面側には取り外し自在な裏蓋１１ｂが取り付けてある。この裏蓋１１ｂの外面には磁石１１ｃが貼り付けてあり、ステンレス製のデスク等に貼り付けておくことで紙挟み（クリップ）代わりに利用できるし、またシリアル型パンチの紛失も防止でき、利便性も向上する。さらに本体部１１の上面には、第１、第２のロッド刃１ａ、１ｂ間の中間位置を示す中央目印１１ｅが付けてあり（図５参照）、穿孔位置を容易に判断できるようになっている。
【００３０】
伸縮部１２にはコイルばね１２ａが内蔵してあり、パンチを使用する際にはコイルばね１２ａが復帰した状態となっている（図１参照）一方、使用しないときはコイルばね１２ａを収縮させ、伸縮部１２の伸張方向に弾性付勢させた状態となっている（図５参照）。また、パンチとして使用しないときに伸縮部１２が伸張復帰しないように、操作レバー３１の先端に設けたフック３１ｂで伸縮部１２の端部に設けた掛止口１２ｂを掛止できるようになっている。なお、伸縮部１２の適所にＡ４、Ｂ５等の用紙の定形サイズの目印、または定形サイズで掛止できるような調節具を付加してもよい。
【００３１】
また、本シリアル型パンチには、台座１０に枢着された２つの回動レバーが設けられている。一方の操作レバー３１は台座１０の前端部（図１（ａ）において右側）に枢着され、他方の動作レバー３２は台座１０の中間部（同左側）に枢着されている。
【００３２】
より具体的には、第１のロッド刃１ａに対応して設けた第１のハウジング２１に操作レバー３１の基端部が枢着され、第２のロッド刃１ｂに対応して設けた第２のハウジング２２に動作レバー３２の基端部が枢着されている。
【００３３】
以下、これらの回動レバーと、これらのそれぞれに連動して動作する第１、第２のロッド刃１ａ、１ｂの動作について説明する。
【００３４】
第１のロッド刃１ａにはピン孔１ａａが形成され（図６参照）、そこにロッドピン２ａが貫通しており、そのロッドピン２ａの両端部が操作レバー３１の両側部にて保持されており、操作レバー３１がレバーピン３１ａを軸として回動する際に、この回動に応じて第１のロッド刃１ａが上下動し、穿孔用の第１のパンチ穴１０ａを貫通するようになっている。操作レバー３１の回動操作に応じて第１のロッド刃１ａを上下動させるために、第１のハウジング２１の両側部にはロッドピン移動用の長孔２１ａが設けられている。
【００３５】
この操作レバー３１の回動動作によって、第１のロッド刃１ａのロッドピン２ａは、レバーピン３１ａを支点として回動するので、この回動動作で第１のロッド刃１ａが第１のパンチ穴１０ａに対して垂直に降下できるように、ハウジングにはパンチ穴の鉛直動作をさせるための上下２つのガイド穴２１ｂ、２１ｂが形成され、かつ、第１のロッドピン２ａは第１のロッド刃１ａのピン孔１ａａに遊挿されている（図６参照）。
【００３６】
このように第１のロッド刃１ａを設置することで、第１のロッド刃１ａと第１のパンチ穴１０ａとによる適正な穿孔が行なえる。なお、第１のロッドピン２ａを操作レバー３１に保持させない構造にしてもよい。例えば操作レバー３１の側面の下端が第１のロッドピン２ａに対して摺動しながら降下する構成としてもよい。もちろん、その場合でも第１のハウジング２１に第１のパンチ穴１０ａに対する鉛直方向の動作をガイドする必要がある。
【００３７】
第２のロッド刃１ｂの動作構造についてもほぼ同様である。つまり、第２のロッド刃１ｂのピン孔１ａａにはロッドピン２ｂが貫通し、そのロッドピン２ｂの両端部を動作レバー３２の両側部にて保持して、動作レバー３２がレバーピン３２ａを軸として回動する際に、この回動に応じて、第２のハウジング２２の両側部に設けた長孔２２ａに沿って第２のロッド刃１ｂが上下動し、第２のパンチ穴１０ｂを貫通するようになっている。なお、ロッドピン２ｂの第２のロッド刃１ｂに対する遊挿関係、および第２のハウジング２２のガイド穴についても、第１のロッド刃１ａのものと同様である。
【００３８】
また、第２のロッド刃１ｂのロッドピン２ｂと動作レバー３２のレバーピン３２ａとの距離、つまり第２のロッド刃１ｂのロッドピン２ｂの回動半径は、第１のロッド刃１ａのロッドピン２ａと操作レバー３１のレバーピン３１ａとの距離よりも短い。このため、第１、第２のロッド刃１ａ、１ｂを降下させる場合、第１のロッド刃１ａのほうが速い速度で降下する。
【００３９】
さらに、本実施形態では、第２のハウジング２２内に、動作レバー３２の回動に応じて動作できるように、レバーピン３２ａにねじりバネが取り付けてある。このねじりバネは第２のロッド刃１ｂを原位置（展開方向）へ復帰させるための支えバネ３であり、これによって２本のロッド刃の先端（下端）と、台座１０との間に紙葉挟み込み空隙Ｓを開けた状態で動作レバー３２と、それに連結された操作レバー３１とが原位置に保持されている。
【００４０】
なお、操作レバー３１側にも同様の支えバネを設けてもよいが、操作レバー３１と動作レバー３２は連結レバー４０で連結されているので、一方のみに支えバネ３を取り付ければよい。
【００４１】
また、本実施形態では支えバネ３をレバーピン３２ａに取り付けているが、第２のロッド刃１ｂの動作を制約するためのものであるから、第２のロッド刃１ｂあるいはロッドピン２ｂに取り付けて動作するようなものでもよい。なお、支えバネ３にはコイルばねや板バネを用いてもよい。
【００４２】
本シリアル型パンチは差動機構を備えており、そのために操作レバー３１、動作レバー３２の他に第３のレバーとして連結レバー４０を備えている。
【００４３】
この連結レバー４０の両側部４０ａの一端側にはスライド開口４１が設けてあり、そのスライド開口４１内を、動作レバー３２の端部に貫通固定したスライドピン３２ｂがスライド開口４１の長手方向に沿ってスライド自在となるように遊挿され連結されている。また、連結レバー４０は、他端が操作レバー３１の中間部に連結ピン４２で連結されて、回動できるようになっている。
【００４４】
このシリアル型パンチは、操作レバー３１と、動作レバー３２との間に、スライド開口４１を形成した連結レバー４０を介在させた構造となっているので、操作レバー３１を押圧操作して紙葉に穿孔する際には、操作レバー３１と、動作レバー３２と、連結レバー４０とが折り畳み動作をなす。
【００４５】
このような構造によれば、図１に示すように、操作レバー３１を大きな展開角度で操作することができる。連結レバー４０の寸法を長くすれば、操作レバー３１を垂直に立てた状態から操作することもできる。
【００４６】
以下に、これら３つのレバーの動作による２本のロッド刃の動作について説明する。図１〜図４は、レバーが原位置にある状態（展開状態）から折り畳み状態までの状態遷移を示した図であり、これらの図にもとづいて説明する。
【００４７】
図１に示した状態は、支えバネ３が作用して動作レバー３２が原位置にあり、一方、操作レバー３１は、連結レバー４０のスライド開口４１によって展開できる最も開いた状態にある。すなわち、スライド開口４１の一方端４１ａで動作レバー３２のスライドピン３２を引っ張り上げている。なお本実施形態では、操作レバー３１側には支えバネを設けていないため、操作レバー３１を手指で持って引き上げることでこの状態を保持できる。
【００４８】
この状態では、第１、第２のロッド刃１ａ、１ｂの先端は第１、第２のパンチ穴１０ａ、１０ｂの上面よりも紙葉挟み込み空隙Ｓを隔てた位置にある。
【００４９】
この状態で操作レバー３１を押圧操作すると、操作レバー３１の回動にともなって、スライド開口４１の形成方向に沿って連結レバー４０は移動するが、支えバネ３で弾性支持されているため、スライド開口４１の他方端４１ｂが動作レバー３２のスライドピン３２ｂを押し下げるまで動作レバー３２は回動することなく展開状態を保持する。
【００５０】
したがって、この操作によって、２本のロッド刃のうち操作レバー３１に連動する第１のロッド刃１ａのみが降下し始める。
【００５１】
その後、第１のロッド刃１ａのみが下方に移動し続け、連結レバー４０のスライド開口４１の操作レバー３１側の他方端４１ｂが動作レバー３２のスライドピン３２ｂに当たると動作レバー３２の回動が始まり、第２のロッド刃１ｂの降下が始まる（図２参照）。
【００５２】
そしてさらに操作レバー３１を押圧操作すると、第１、第２のロッド刃１ａ、１ｂは、第２のロッド刃１ｂが降下遅れの状態を保持しながら、ともに降下してゆき、第１、第２のパンチ穴１０ａ、１０ｂに到達して、紙葉に穿孔する。なお、上記のようにロッドピンまでの回動半径は第１のロッド刃１ａのほうが大きいため、第２のロッド刃１ｂの降下遅れはさらに大きくなり、穿孔タイミングも大きくずれる。
【００５３】
このように穿孔タイミングがずれ、穿孔の際に紙面による抗力の発生タイミングがずれる構成であるため、加えた力が第１、第２のロッド刃１ａ、１ｂに分散されることはなく、そのため小さな力で穿孔できる。
【００５４】
このように本シリアル型パンチは、連結レバー４０のスライド開口４１によって、動作レバー３２が動作するタイミングを遅らすようにした差動機構を備えているので、操作レバー３１のみを回動させることができ、穿孔タイミングを十分にずらすことができる。また、本実施形態では、操作レバー３１は弾性支持されていないため、操作開始から動作レバー３２を動作させるまではバネによる負荷がかからず、小さな力で操作できる。
【００５５】
また、図５（ａ）の平面図に示すように、シリアル型パンチを構成する台座１０、操作レバー３１、動作レバー３２、連結レバー４０は幅寸法がほぼ同じであるため、筆入れに入れてもじゃまにならないし、鉛筆立てにも入れることができる。さらに、定規機能を付加したり、消しゴム、ボールペンを付加して多機能パンチとしてもよい。
【００５６】
ついで、本発明のシリアル型パンチの第２実施形態について説明する。図７は同シリアル型パンチの一使用例を示す部分断面正面図であり、図８は同シリアル型パンチの他使用例を示す部分断面正面図である。なお、本実施形態のシリアル型パンチは第１実施形態のものと同一の構成部位よりなるので、第１実施形態のものと同一の符号を付して、それらの説明は省略する。
【００５７】
本実施形態のシリアル型パンチは、少量の紙葉に穿孔する場合と、大量の紙葉に穿孔する場合の２つの使用方法で使用できるものである。
【００５８】
図７には、操作レバー３１と、それに連結された第１のロッド刃１ａと、動作レバー３２と、それに連結された第２のロッド刃１ｂとが、動作レバー３２のレバーピン３２ａに取り付けられた支えバネ３によってシリアル型パンチが原位置に保持された状態を示している。
【００５９】
この状態では、操作レバー３１と連結レバー４０とが動作レバー３２に対して折り畳まれて、操作レバー３１と動作レバー３２とはともに台座１０に対し鋭角的な位置にあり、かつ、第１、第２のロッド刃１ａ、１ｂの各先端は紙葉挟み込み空隙Ｓの中ほどに位置し、少数枚の紙葉が差し入れできるようになっている。つまり、少数枚の紙葉に穿孔する場合には、この原位置で操作レバー３１を押圧操作すればよい。
【００６０】
一方、図８では、ロッドピン２ｂの上限位置に対応して動作レバー３２が最も開いた状態にあり、また操作レバー３１が連結レバー４０のスライド開口４１によって展開できる最も開いた状態にある。この状態では、第１、第２のロッド刃１ａ、１ｂの各先端が図７の状態よりも高い位置にある。
【００６１】
したがって、この状態では、図７にくらべて操作レバー３１、動作レバー３２の展開角度が大きいので、紙葉挟み込み空隙Ｓに差し入れた大量の紙葉に穿孔することができる。
【００６２】
上記の第１、第２実施形態に説明したシリアル型パンチは、連結レバー４０のスライド開口４１による差動機構を備えているが、そのような差動機構を有しないものでもよい。すなわち、動作レバー３２と連結レバー４０とがピン一点で回動連結され、操作レバー３１の操作で動作レバー３２が時間遅れなく折り畳みできる構造としてもよい。なお、その場合でも、ロッド刃の寸法、ロッド刃のレバーピンからの距離等を調節することで、穿孔タイミングをずらすことは可能である。
【００６３】
また、差動機構を備えないものでも、操作レバー３１と動作レバ３２ーとの間に連結レバー４０が介在しているので、パンチする際には操作レバー３１を大きく展開でき、第１、第２実施形態のものと同様、大きなストロークを確保することができる。
【００６４】
以上の実施形態ではロッドピン２ａ、２ｂを用いてロッド刃を降下させる構造を示したが、ロッドピンを用いずに、操作レバー３１、動作レバー３２がそれぞれ第１、第２のロッド刃１ａ、２ａの頭部等を押し下げる構造としてもよい。
【符号の説明】
【００６５】
１０      台座
１０ａ      第１のパンチ穴
１０ｂ      第２のパンチ穴
１１      本体部
１１ａ      中空部
１１ｂ      裏蓋
１１ｃ      磁石
１１ｄ      紙葉ガイド片
１１ｅ      中央目印
１２      伸縮部
１２ａ      コイルバネ
１２ｂ      掛止口
１ａ      第１のロッド刃
１ａａ      ピン孔
２ａ      ロッドピン
２１      第１のハウジング
２１ａ      長孔
２１ｂ      ガイド穴
３１      操作レバー
３１ａ      レバーピン
３１ｂ      フック
１ｂ      第２のロッド刃
２ｂ      ロッドピン
２２      第２のハウジング
２２ａ      長孔
３２      動作レバー
３２ａ      レバーピン
３２ｂ      スライドピン
４０      連結レバー
４１      スライド開口
４２      連結ピン
３      支えバネ
Ｓ      紙葉挟み込み空隙
【手続補正２】
【補正対象書類名】特許請求の範囲
【補正対象項目名】全文
【補正方法】変更
【補正の内容】
【特許請求の範囲】
【請求項１】
操作レバーと、動作レバーとを所定間隔を保持して、台座に回動自在に枢着し、操作レバー、動作レバー側には、その前後方向に沿って、２本のロッド刃を設ける一方、台座側には、２本のロッド刃のそれぞれに対応したパンチ穴を台座の前後方向に沿って形成し、上記台座側に紙葉を載置した状態で上記操作レバーを回動操作して紙葉に穿孔するようにしたパンチであって、
上記操作レバーと上記動作レバーとは、連結レバーによって連結されるとともに、上記動作レバーは、支えバネの弾性力によって、上記操作レバー、上記動作レバーの２本のロッド刃の先端と、上記台座との間に紙葉挟み込み空隙を形成して原位置に保持する構造になっており、
上記操作レバーと上記動作レバーとは、上記操作レバーが上記動作レバーの上方に位置するようにして折り畳まれる構造にしていることを特徴とするパンチ。
【請求項２】
請求項１において、
上記連結レバーには、スライド開口が形成されており、
このスライド開口に、上記動作レバーに設けたレバーピンを係止させることで、上記操作レバーを回動操作したときに、上記動作レバー側のロッド刃による穿孔が、上記操作レバー側のロッド刃による穿孔よりも遅れをなす差動機構を構成していることを特徴とするパンチ。
【請求項３】
請求項１または２において、
上記２本のロッド刃は、それぞれにピン孔が形成されて、該ピン孔にロッドピンを遊挿させて、上記操作レバー、上記動作レバーのそれぞれに結合支持されるとともに、
上記台座側には、上記操作レバー、上記動作レバーが回動操作される際に、上記２本のそれぞれのロッド刃の上下の鉛直動作を規制するガイド穴と、上下方向に走る長孔とを形成した第１、第２のハウジングを設けていることを特徴とするパンチ。
【請求項４】
請求項１〜３のいずれか１項において、
上記台座は、その後端側に伸縮自在な伸縮部を備えており、
上記伸縮部は、伸張方向に弾性付勢してなるコイルばねを備え、上記操作レバーに掛止されることで収縮状態が保持されるようになっていることを特徴とするパンチ。
【請求項５】
請求項１〜４のいずれか１項において、
上記台座、操作レバー、動作レバー、連結レバーの各幅寸法が略同一に形成されていることを特徴とするパンチ。
【手続補正３】
【補正対象書類名】図面
【補正対象項目名】全図
【補正方法】変更
【補正の内容】
【図１】
2011255429.tif 000011
【図２】
2011255429.tif 000012
【図３】
2011255429.tif 000013
【図４】
2011255429.tif 000014
【図５】
2011255429.tif 000015
【図６】
2011255429.tif 000016
【図７】
2011255429.tif 000017
【図８】
2011255429.tif 000018
【手続補正書】
【提出日】平成23年4月15日(2011.4.15)
【手続補正１】
【補正対象書類名】特許請求の範囲
【補正対象項目名】全文
【補正方法】変更
【補正の内容】
【特許請求の範囲】
【請求項１】
操作レバーと、該操作レバーに連結された動作レバーとを所定間隔を保持して、台座に回動自在に枢着し、操作レバー側、動作レバー側のそれぞれには、平面視で、それらのレバーの枢着基端部と他端とを結ぶ方向に沿って重合するように、ロッド刃を設ける一方、台座側には、それら２本のロッド刃のそれぞれに対応したパンチ穴を形成し、上記台座側に紙葉を載置した状態で上記操作レバーを回動操作することで２本のロッド刃を鉛直動作させて紙葉に穿孔するようにしたシリアル型パンチであって、
上記操作レバーと、上記動作レバーとを連結する連結レバーを有しており、
上記連結レバーの一端側にはスライド開口が形成してあり、該スライド開口に上記動作レバーに固定したスライドピンがスライド自在となるように上記動作レバーがピン結合されている一方、上記連結レバーの他端側には上記操作レバーがピン結合されている連結構造となっており、
上記動作レバーは、支えバネの弾性力によって、上記２本のロッド刃の先端と、上記台座との間に紙葉挟み込み空隙を形成して原位置に保持する構造になっており、
上記操作レバーと上記動作レバーとは、上記操作レバーが上記動作レバーの上方に位置するようにして折り畳まれる構造になっており、
上記操作レバーの回動折り畳み操作をしたときに、上記動作レバー側のロッド刃が、上記操作レバー側のロッド刃によりも遅れて鉛直動作する構成となっていることを特徴とするシリアル型パンチ。
【請求項２】
請求項１において、
上記２本のロッド刃は、それぞれにピン孔が形成されて、該ピン孔にロッドピンを遊挿させて、上記操作レバー、上記動作レバーのそれぞれに結合支持されるとともに、
上記台座側には、上記操作レバー、上記動作レバーが回動操作される際に、上記２本のそれぞれのロッド刃の上下の鉛直動作を規制するガイド穴と、上下方向に走る長孔とを形成した第１、第２のハウジングを設けていることを特徴とするシリアル型パンチ。
【請求項３】
請求項１または２において、
上記台座は、上記操作レバーの他端側に伸縮自在な伸縮部を備えており、
上記伸縮部は、伸張方向に弾性付勢してなるコイルばねを備え、上記操作レバーに掛止されることで収縮状態が保持されるようになっていることを特徴とするシリアル型パンチ。
【請求項４】
請求項１〜３のいずれか１項において、
上記台座、操作レバー、動作レバー、連結レバーの各幅寸法が略同一に形成されていることを特徴とするシリアル型パンチ。
【手続補正２】
【補正対象書類名】明細書
【補正対象項目名】全文
【補正方法】変更
【補正の内容】
【発明の詳細な説明】
【技術分野】
【０００１】
本発明は、２本のロッド刃間を結ぶ線上に重合するように操作レバーを配したシリアル型パンチの改良に関する。
【背景技術】
【０００２】
紙葉の穴あけ用具であるパンチには、２本のロッド刃をシリアルに設けた平面視薄型（幅狭）の台座と、棒状の操作レバーとを重合させ、その操作レバーの一方端を台座に枢着させた構造としたシリアル型パンチが提案されている（例えば、特許文献１参照）。
【０００３】
この種のシリアル型パンチによれば、パンチ本体を小型化でき、携帯用パンチとして使用することができる。
【０００４】
また、同文献のものでは、操作レバーの回動で一方のロッド刃を上下動させ、かつ、この操作レバーの中間部に連結され、台座上の操作レバーの枢着位置とは別の位置に枢着された動作レバーの回動で他方のロッド刃を上下動させる構造となっている。つまり、それぞれのロッド刃は、操作レバー、動作レバーのいずれかの動作に連動して動作するようになっている。
【０００５】
このように、操作レバーと動作レバーの個別の回動動作によって２本のロッド刃が個別に動作できる構造であるため、各ロッド刃の動作をずらすことで穿孔タイミングをずらすことができ、それによって穿孔の際に生じる紙面による抗力を分散させることを可能としている。よって、小型化による穿孔力の低下を防止できる。
【０００６】
なお、同文献のパンチは、操作レバーの押圧操作で同時に動作レバーを回動させるために操作レバーにスライド開口を設けて、そこに動作レバーの端部をスライド自在に連結した構造となっている。
【先行技術文献】
【特許文献】
【０００７】
【特許文献１】特開平０８−１５５８９８号公報
【発明の概要】
【発明が解決しようとする課題】
【０００８】
ところで、同文献のパンチは、操作レバーと動作レバーとが直接連結されているため、操作レバーの大きなストロークを確保しようとすればスライド開口を長く形成しなければならない。しかし、そのようにスライド開口を長く形成すれば操作レバーの強度が低下してしまうおそれがある。
【０００９】
しかも、操作レバーの押圧操作で同時に動作レバーも動作する構造であるため、両ロッド刃を動作させるための操作負担が同時にかかることとなり、操作が重くなるおそれがある。特に、各ロッド刃は、操作レバーの展開時においては、台座との間に紙葉挟み込み空隙を確保するための支えバネで弾性支持されているため、操作開始時に、両ロッド刃のそれぞれの支えバネの弾性復元力に抗する押圧力が必要とされるから、操作に大きな力が必要となる。
【００１０】
また、操作レバーと動作レバーとは個別回動の構造ではあるものの、同時に動作する構造であるから、ロッド刃を差動させるか、上下動速度を異ならせるか、ロッド刃の長さ寸法等を異ならせるなどしなければ、確実に穿孔タイミングをずらすことはできない。つまり、この文献に記載されたパンチには、設計、製造において微妙な調整が必要とされる。
【００１１】
本発明は、このような種々の問題を考慮して提案されたもので、その目的は、小さな寸法にもかかわらず、操作レバー等の強度を落とすことなく大きなストロークを確保できるシリアル型パンチを提供することにある。また、操作レバーと動作レバーの動作開始タイミングをずらすことで確実に両ロッド刃の穿孔タイミングをずらすこと、および、操作開始時の操作負担を軽減させることをさらなる目的としている。
【課題を解決するための手段】
【００１２】
上記目的を達成するために、請求項１に記載のシリアル型パンチは、操作レバーと、該操作レバーに連結された動作レバーとを所定間隔を保持して、台座に回動自在に枢着し、操作レバー側、動作レバー側のそれぞれには、平面視で、それらのレバーの枢着基端部と他端とを結ぶ方向に沿って重合するように、ロッド刃を設ける一方、台座側には、それら２本のロッド刃のそれぞれに対応したパンチ穴を形成し、上記台座側に紙葉を載置した状態で上記操作レバーを回動操作することで２本のロッド刃を鉛直動作させて紙葉に穿孔するようにしたシリアル型パンチであって、操作レバーと、動作レバーとを連結する連結レバーを有しており、連結レバーの一端側にはスライド開口が形成してあり、該スライド開口に上記動作レバーに固定したスライドピンがスライド自在となるように動作レバーがピン結合されている一方、連結レバーの他端側には上記操作レバーがピン結合されている連結構造となっており、動作レバーは、支えバネの弾性力によって、２本のロッド刃の先端と、台座との間に紙葉挟み込み空隙を形成して原位置に保持する構造になっており、操作レバーと動作レバーとは、操作レバーが動作レバーの上方に位置するようにして折り畳まれる構造になっており、操作レバーの回動折り畳み操作をしたときに、動作レバー側のロッド刃が、操作レバー側のロッド刃によりも遅れて鉛直動作する構成となっていることを特徴とする。
【００１３】
（削除）
【００１４】
請求項２に記載のシリアル型パンチでは、２本のロッド刃は、それぞれにピン孔が形成されて、ピン孔にロッドピンを貫通させて、操作レバー、動作レバーのそれぞれに結合支持されるとともに、台座側には、操作レバー、動作レバーが回動操作される際に、２本のそれぞれのロッド刃の上下の鉛直動作を規制するガイド穴と、上下方向に走る長孔を形成した第１、第２のハウジングを設けている。
【００１５】
請求項３に記載のシリアル型パンチでは、台座は、その他端側に伸縮自在な伸縮部を備えており、伸縮部は、伸張方向に弾性付勢してなるコイルばねを備え、操作レバーに掛止されることで収縮状態が保持されるようになっている。
【００１６】
請求項４に記載のシリアル型パンチは、台座、操作レバー、動作レバー、連結レバーの各幅寸法が略同一に形成されている。
【発明の効果】
【００１７】
請求項１に記載のシリアル型パンチによれば、操作レバーと、動作レバーとの間に連結レバーを介在させた構造となっているので、小さな寸法にもかかわらず、操作レバーを大きな展開角度で操作できる。よって、第１、第２のロッド刃の降下量を大きくでき、より大量枚数の紙葉に穿孔することができる。
【００１８】
また、連結レバーが、動作レバーに負荷を与えるタイミングをずらすようにした差動機構を備えている。すなわち、動作レバーが操作レバーの起動よりも遅れて動作開始する構造であるため、２本のロッド刃の穿孔タイミングを確実にずらすことができる。
【００１９】
請求項２に記載のシリアル型パンチによれば、２本のロッド刃は、それぞれにピン孔が形成されて、ピン孔にロッドピンを遊挿させて、操作レバー、動作レバーのそれぞれに結合支持されるとともに、台座側には、操作レバー、動作レバーが回動操作される際に、２本のそれぞれのロッド刃の上下の鉛直動作を規制するガイド穴と、上下方向に走る長孔とを形成した第１、第２のハウジングを設けているので、２本のロッド刃に鉛直動作をさせることができる。
【００２０】
請求項３に記載のシリアル型パンチによれば、台座がロッド刃間を結ぶ線の延長方向に伸縮自在な伸縮部を備えているので、不使用時には縮めておけばよく、そのため机上でじゃまにならない。また、伸縮部はコイルばねを備え、操作レバーに掛止されることで収縮状態が保持されるようになっているので、不使用時にはよりコンパクトにしておくことができる。掛止を解けばコイルばねが復帰するので、すぐに利用できる。
【００２１】
請求項４に記載のシリアル型パンチによれば、台座、操作レバー、動作レバー、連結レバーの各幅寸法が略同一でスリムな形状となっているので、筆入れや鉛筆立てに入れることができ、持ち運びにも便利である。
【図面の簡単な説明】
【００２２】
【図１】本発明のシリアル型パンチの第１実施形態（展開状態）を示す図で、（ａ）は部分断面正面図、（ｂ）は概略側面図である。
【図２】（ａ）、（ｂ）は、同シリアル型パンチの駆動を段階的に示した部分断面正面図、概略側面図である。
【図３】（ａ）、（ｂ）は、同シリアル型パンチの駆動を段階的に示した部分断面正面図、概略側面図である。
【図４】（ａ）、（ｂ）は、同シリアル型パンチの駆動を段階的に示した部分断面正面図、概略側面図である。
【図５】（ａ）、（ｂ）、（ｃ）は、同シリアル型パンチの完全に折り畳んだ状態を示す平面図、部分断面正面図、概略側面図である。
【図６】（ａ）は第１のロッド刃の概略正面図、（ｂ）は第１のロッド刃を格納する第１のハウジングの概略斜視図である。
【図７】本発明のシリアル型パンチの第２実施形態の一使用例を示す部分断面正面図である。
【図８】同シリアル型パンチの他使用例を示す部分断面正面図である。
【発明を実施するための形態】
【００２３】
以下に、本発明の実施の形態について、添付図面を参照しながら説明する。
【００２４】
図１は本発明のシリアル型パンチの第１実施形態を示す図で、図１（ａ）はシリアル型パンチの部分断面正面図、図１（ｂ）は同概略側面図である。また図２〜図４は、同シリアル型パンチの駆動を段階的に示した説明図で、各図（ａ）、（ｂ）は部分断面正面図、概略側面図である。図５（ａ）、（ｂ）、（ｃ）は、同シリアル型パンチの完全に折り畳んだ状態を示す平面図、部分断面正面図、概略側面図である。図６は第１のロッド刃の動作を説明するための概念図であり、図６（ａ）は第１のロッド刃の概略正面図、図６（ｂ）は第１のロッド刃を格納する第１のハウジングの概略斜視図である。
【００２５】
このシリアル型パンチは、２本のロッド刃がシリアルに設けられ、台座１０に対して回動自在に枢着された操作レバー３１と、操作レバー３１に連結され、台座１０に対して回動自在に枢着された動作レバー３２とをロッド刃間を結ぶ線上に重合させる構造となっており、２本の第１、第２のロッド刃１ａ、１ｂを、台座１０に設けた２つの第１、第２のパンチ穴１０ａ、１０ｂに貫通させて、台座１０に載置した紙葉に穿孔できるようにしたものである。
【００２６】
台座１０は、第１、第２のロッド刃１ａ、１ｂのそれぞれに対応した第１、第２のパンチ穴１０ａ、１０ｂを有した中空体よりなる本体部１１と、第１、第２のパンチ穴１０ａ、１０ｂ間を結ぶ線の延長方向に伸縮自在に取り付けた伸縮部１２とを備えている。
【００２７】
本体部１１の上方には、紙葉挟み込み空隙Ｓが形成され、第１、第２のロッド刃１ａ、１ｂのそれぞれを格納した第１、第２のハウジング２１、２２が設けられている。
【００２８】
この紙葉挟み込み空隙Ｓにおける第１、第２のロッド刃１ａ、１ｂの各近傍には、紙葉ガイド片１１ｄが取り付けられている。この紙葉ガイド片１１ｄは紙葉挟み込み空隙Ｓに紙葉を差し入れるときに、紙葉がパンチ穴の直上に配されるように誘導できるとともに、差し入れた紙葉が浮き上がらないように上方より弾性的に押さえるようになっている。また、図１（ｂ）等の概略側面図に示しているように、この紙葉ガイド片１１ｄはロッド刃よりも紙葉挿入開口に近い箇所に取り付けられているので、紙葉挿入時の手指の安全も確保できる。
【００２９】
また、本体部１１の中空部１１ａはパンチ屑を溜める空間であり、裏面側には取り外し自在な裏蓋１１ｂが取り付けてある。この裏蓋１１ｂの外面には磁石１１ｃが貼り付けてあり、ステンレス製のデスク等に貼り付けておくことで紙挟み（クリップ）代わりに利用できるし、またシリアル型パンチの紛失も防止でき、利便性も向上する。さらに本体部１１の上面には、第１、第２のロッド刃１ａ、１ｂ間の中間位置を示す中央目印１１ｅが付けてあり（図５参照）、穿孔位置を容易に判断できるようになっている。
【００３０】
伸縮部１２にはコイルばね１２ａが内蔵してあり、パンチを使用する際にはコイルばね１２ａが復帰した状態となっている（図１参照）一方、使用しないときはコイルばね１２ａを収縮させ、伸縮部１２の伸張方向に弾性付勢させた状態となっている（図５参照）。また、パンチとして使用しないときに伸縮部１２が伸張復帰しないように、操作レバー３１の先端に設けたフック３１ｂで伸縮部１２の端部に設けた掛止口１２ｂを掛止できるようになっている。なお、伸縮部１２の適所にＡ４、Ｂ５等の用紙の定形サイズの目印、または定形サイズで掛止できるような調節具を付加してもよい。
【００３１】
また、本シリアル型パンチには、台座１０に枢着された２つの回動レバーが設けられている。一方の操作レバー３１は台座１０の前端部（図１（ａ）において右側）に枢着され、他方の動作レバー３２は台座１０の中間部（同左側）に枢着されている。
【００３２】
より具体的には、第１のロッド刃１ａに対応して設けた第１のハウジング２１に操作レバー３１の基端部が枢着され、第２のロッド刃１ｂに対応して設けた第２のハウジング２２に動作レバー３２の基端部が枢着されている。
【００３３】
以下、これらの回動レバーと、これらのそれぞれに連動して動作する第１、第２のロッド刃１ａ、１ｂの動作について説明する。
【００３４】
第１のロッド刃１ａにはピン孔１ａａが形成され（図６参照）、そこにロッドピン２ａが貫通しており、そのロッドピン２ａの両端部が操作レバー３１の両側部にて保持されており、操作レバー３１がレバーピン３１ａを軸として回動する際に、この回動に応じて第１のロッド刃１ａが上下動し、穿孔用の第１のパンチ穴１０ａを貫通するようになっている。操作レバー３１の回動操作に応じて第１のロッド刃１ａを上下動させるために、第１のハウジング２１の両側部にはロッドピン移動用の長孔２１ａが設けられている。
【００３５】
この操作レバー３１の回動動作によって、第１のロッド刃１ａのロッドピン２ａは、レバーピン３１ａを支点として回動するので、この回動動作で第１のロッド刃１ａが第１のパンチ穴１０ａに対して垂直に降下できるように、ハウジングにはパンチ穴の鉛直動作をさせるための上下２つのガイド穴２１ｂ、２１ｂが形成され、かつ、第１のロッドピン２ａは第１のロッド刃１ａのピン孔１ａａに遊挿されている（図６参照）。
【００３６】
このように第１のロッド刃１ａを設置することで、第１のロッド刃１ａと第１のパンチ穴１０ａとによる適正な穿孔が行なえる。なお、第１のロッドピン２ａを操作レバー３１に保持させない構造にしてもよい。例えば操作レバー３１の側面の下端が第１のロッドピン２ａに対して摺動しながら降下する構成としてもよい。もちろん、その場合でも第１のハウジング２１に第１のパンチ穴１０ａに対する鉛直方向の動作をガイドする必要がある。
【００３７】
第２のロッド刃１ｂの動作構造についてもほぼ同様である。つまり、第２のロッド刃１ｂのピン孔１ａａにはロッドピン２ｂが貫通し、そのロッドピン２ｂの両端部を動作レバー３２の両側部にて保持して、動作レバー３２がレバーピン３２ａを軸として回動する際に、この回動に応じて、第２のハウジング２２の両側部に設けた長孔２２ａに沿って第２のロッド刃１ｂが上下動し、第２のパンチ穴１０ｂを貫通するようになっている。なお、ロッドピン２ｂの第２のロッド刃１ｂに対する遊挿関係、および第２のハウジング２２のガイド穴についても、第１のロッド刃１ａのものと同様である。
【００３８】
また、第２のロッド刃１ｂのロッドピン２ｂと動作レバー３２のレバーピン３２ａとの距離、つまり第２のロッド刃１ｂのロッドピン２ｂの回動半径は、第１のロッド刃１ａのロッドピン２ａと操作レバー３１のレバーピン３１ａとの距離よりも短い。このため、第１、第２のロッド刃１ａ、１ｂを降下させる場合、第１のロッド刃１ａのほうが速い速度で降下する。
【００３９】
さらに、本実施形態では、第２のハウジング２２内に、動作レバー３２の回動に応じて動作できるように、レバーピン３２ａにねじりバネが取り付けてある。このねじりバネは第２のロッド刃１ｂを原位置（展開方向）へ復帰させるための支えバネ３であり、これによって２本のロッド刃の先端（下端）と、台座１０との間に紙葉挟み込み空隙Ｓを開けた状態で動作レバー３２と、それに連結された操作レバー３１とが原位置に保持されている。
【００４０】
なお、操作レバー３１側にも同様の支えバネを設けてもよいが、操作レバー３１と動作レバー３２は連結レバー４０で連結されているので、一方のみに支えバネ３を取り付ければよい。
【００４１】
また、本実施形態では支えバネ３をレバーピン３２ａに取り付けているが、第２のロッド刃１ｂの動作を制約するためのものであるから、第２のロッド刃１ｂあるいはロッドピン２ｂに取り付けて動作するようなものでもよい。なお、支えバネ３にはコイルばねや板バネを用いてもよい。
【００４２】
本シリアル型パンチは差動機構を備えており、そのために操作レバー３１、動作レバー３２の他に第３のレバーとして連結レバー４０を備えている。
【００４３】
この連結レバー４０の両側部４０ａの一端側にはスライド開口４１が設けてあり、そのスライド開口４１内を、動作レバー３２の端部に貫通固定したスライドピン３２ｂがスライド開口４１の長手方向に沿ってスライド自在となるように遊挿され連結されている。また、連結レバー４０は、他端が操作レバー３１の中間部に連結ピン４２で連結されて、回動できるようになっている。
【００４４】
このシリアル型パンチは、操作レバー３１と、動作レバー３２との間に、スライド開口４１を形成した連結レバー４０を介在させた構造となっているので、操作レバー３１を押圧操作して紙葉に穿孔する際には、操作レバー３１と、動作レバー３２と、連結レバー４０とが折り畳み動作をなす。
【００４５】
このような構造によれば、図１に示すように、操作レバー３１を大きな展開角度で操作することができる。連結レバー４０の寸法を長くすれば、操作レバー３１を垂直に立てた状態から操作することもできる。
【００４６】
以下に、これら３つのレバーの動作による２本のロッド刃の動作について説明する。図１〜図４は、レバーが原位置にある状態（展開状態）から折り畳み状態までの状態遷移を示した図であり、これらの図にもとづいて説明する。
【００４７】
図１に示した状態は、支えバネ３が作用して動作レバー３２が原位置にあり、一方、操作レバー３１は、連結レバー４０のスライド開口４１によって展開できる最も開いた状態にある。すなわち、スライド開口４１の一方端４１ａで動作レバー３２のスライドピン３２を引っ張り上げている。なお本実施形態では、操作レバー３１側には支えバネを設けていないため、操作レバー３１を手指で持って引き上げることでこの状態を保持できる。
【００４８】
この状態では、第１、第２のロッド刃１ａ、１ｂの先端は第１、第２のパンチ穴１０ａ、１０ｂの上面よりも紙葉挟み込み空隙Ｓを隔てた位置にある。
【００４９】
この状態で操作レバー３１を押圧操作すると、操作レバー３１の回動にともなって、スライド開口４１の形成方向に沿って連結レバー４０は移動するが、支えバネ３で弾性支持されているため、スライド開口４１の他方端４１ｂが動作レバー３２のスライドピン３２ｂを押し下げるまで動作レバー３２は回動することなく展開状態を保持する。
【００５０】
したがって、この操作によって、２本のロッド刃のうち操作レバー３１に連動する第１のロッド刃１ａのみが降下し始める。
【００５１】
その後、第１のロッド刃１ａのみが下方に移動し続け、連結レバー４０のスライド開口４１の操作レバー３１側の他方端４１ｂが動作レバー３２のスライドピン３２ｂに当たると動作レバー３２の回動が始まり、第２のロッド刃１ｂの降下が始まる（図２参照）。
【００５２】
そしてさらに操作レバー３１を押圧操作すると、第１、第２のロッド刃１ａ、１ｂは、第２のロッド刃１ｂが降下遅れの状態を保持しながら、ともに降下してゆき、第１、第２のパンチ穴１０ａ、１０ｂに到達して、紙葉に穿孔する。なお、上記のようにロッドピンまでの回動半径は第１のロッド刃１ａのほうが大きいため、第２のロッド刃１ｂの降下遅れはさらに大きくなり、穿孔タイミングも大きくずれる。
【００５３】
このように穿孔タイミングがずれ、穿孔の際に紙面による抗力の発生タイミングがずれる構成であるため、加えた力が第１、第２のロッド刃１ａ、１ｂに分散されることはなく、そのため小さな力で穿孔できる。
【００５４】
このように本シリアル型パンチは、連結レバー４０のスライド開口４１によって、動作レバー３２が動作するタイミングを遅らすようにした差動機構を備えているので、操作レバー３１のみを回動させることができ、穿孔タイミングを十分にずらすことができる。また、本実施形態では、操作レバー３１は弾性支持されていないため、操作開始から動作レバー３２を動作させるまではバネによる負荷がかからず、小さな力で操作できる。
【００５５】
また、図５（ａ）の平面図に示すように、シリアル型パンチを構成する台座１０、操作レバー３１、動作レバー３２、連結レバー４０は幅寸法がほぼ同じであるため、筆入れに入れてもじゃまにならないし、鉛筆立てにも入れることができる。さらに、定規機能を付加したり、消しゴム、ボールペンを付加して多機能パンチとしてもよい。
【００５６】
ついで、本発明のシリアル型パンチの第２実施形態について説明する。図７は同シリアル型パンチの一使用例を示す部分断面正面図であり、図８は同シリアル型パンチの他使用例を示す部分断面正面図である。なお、本実施形態のシリアル型パンチは第１実施形態のものと同一の構成部位よりなるので、第１実施形態のものと同一の符号を付して、それらの説明は省略する。
【００５７】
本実施形態のシリアル型パンチは、少量の紙葉に穿孔する場合と、大量の紙葉に穿孔する場合の２つの使用方法で使用できるものである。
【００５８】
図７には、操作レバー３１と、それに連結された第１のロッド刃１ａと、動作レバー３２と、それに連結された第２のロッド刃１ｂとが、動作レバー３２のレバーピン３２ａに取り付けられた支えバネ３によってシリアル型パンチが原位置に保持された状態を示している。
【００５９】
この状態では、操作レバー３１と連結レバー４０とが動作レバー３２に対して折り畳まれて、操作レバー３１と動作レバー３２とはともに台座１０に対し鋭角的な位置にあり、かつ、第１、第２のロッド刃１ａ、１ｂの各先端は紙葉挟み込み空隙Ｓの中ほどに位置し、少数枚の紙葉が差し入れできるようになっている。つまり、少数枚の紙葉に穿孔する場合には、この原位置で操作レバー３１を押圧操作すればよい。
【００６０】
一方、図８では、ロッドピン２ｂの上限位置に対応して動作レバー３２が最も開いた状態にあり、また操作レバー３１が連結レバー４０のスライド開口４１によって展開できる最も開いた状態にある。この状態では、第１、第２のロッド刃１ａ、１ｂの各先端が図７の状態よりも高い位置にある。
【００６１】
したがって、この状態では、図７にくらべて操作レバー３１、動作レバー３２の展開角度が大きいので、紙葉挟み込み空隙Ｓに差し入れた大量の紙葉に穿孔することができる。
【００６２】
上記の第１、第２実施形態に説明したシリアル型パンチは、連結レバー４０のスライド開口４１による差動機構を備えているが、そのような差動機構を有しないものでもよい。すなわち、動作レバー３２と連結レバー４０とがピン一点で回動連結され、操作レバー３１の操作で動作レバー３２が時間遅れなく折り畳みできる構造としてもよい。なお、その場合でも、ロッド刃の寸法、ロッド刃のレバーピンからの距離等を調節することで、穿孔タイミングをずらすことは可能である。
【００６３】
また、差動機構を備えないものでも、操作レバー３１と動作レバ３２ーとの間に連結レバー４０が介在しているので、パンチする際には操作レバー３１を大きく展開でき、第１、第２実施形態のものと同様、大きなストロークを確保することができる。
【００６４】
以上の実施形態ではロッドピン２ａ、２ｂを用いてロッド刃を降下させる構造を示したが、ロッドピンを用いずに、操作レバー３１、動作レバー３２がそれぞれ第１、第２のロッド刃１ａ、２ａの頭部等を押し下げる構造としてもよい。
【符号の説明】
【００６５】
１０      台座
１０ａ      第１のパンチ穴
１０ｂ      第２のパンチ穴
１１      本体部
１１ａ      中空部
１１ｂ      裏蓋
１１ｃ      磁石
１１ｄ      紙葉ガイド片
１１ｅ      中央目印
１２      伸縮部
１２ａ      コイルバネ
１２ｂ      掛止口
１ａ      第１のロッド刃
１ａａ      ピン孔
２ａ      ロッドピン
２１      第１のハウジング
２１ａ      長孔
２１ｂ      ガイド穴
３１      操作レバー
３１ａ      レバーピン
３１ｂ      フック
１ｂ      第２のロッド刃
２ｂ      ロッドピン
２２      第２のハウジング
２２ａ      長孔
３２      動作レバー
３２ａ      レバーピン
３２ｂ      スライドピン
４０      連結レバー
４１      スライド開口
４２      連結ピン
３      支えバネ
Ｓ      紙葉挟み込み空隙